【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
可動とされた摺動部品の摺動面を支持部品の被摺動面で支持するミシン用摺動装置において、
前記摺動部品の摺動面と前記支持部品の被摺動面との少なくとも一方をカーバイト・カーボンからなる被覆層により形成したことを特徴とするミシン用摺動装置。
【請求項２】
前記被覆層がＰＶＤにより形成されていることを特徴とする請求項１に記載のミシン用摺動装置。
【請求項３】
前記被覆層が層状の膜構造とされ、かつ、カーバイトリッチ層とカーボンリッチ層とが交互に配置されていることを特徴とする請求項１または請求項２に記載のミシン用摺動装置。
【請求項４】
前記被覆層の膜厚が０．５〜１０．０μｍであることを特徴とする請求項１ないし請求項３のいずれか１項に記載のミシン用摺動装置。
【請求項５】
前記被覆層を形成する部品の本体が鋼材で形成されていることを特徴とする請求項１ないし請求項４のいずれか１項に記載のミシン用摺動装置。
【請求項６】
前記被覆層を形成する部品の本体が鋼材の表面をクロムからなる中間膜で覆うことにより形成されていることを特徴とする請求項１ないし請求項４のいずれか１項に記載のミシン用摺動装置。
【請求項７】
前記被覆層を形成する部品の本体がアルミニウムあるいはアルミニウム合金の表面をクロムからなる中間膜で覆うことにより形成されていることを特徴とする請求項１ないし請求項４のいずれか１項に記載のミシン用摺動装置。
【請求項８】
前記中間膜の膜厚が１〜１０μｍであることを特徴とする請求項６または請求項７に記載のミシン用摺動装置。
【請求項９】
前記被覆層を形成する部品の本体が鋼材の表面をニッケル合金からなる中間膜で覆うことにより形成されていることを特徴とする請求項１ないし請求項４のいずれか１項に記載のミシン用摺動装置。
【請求項１０】
前記被覆層を形成する部品の本体がアルミニウムあるいはアルミニウム合金の表面をニッケル合金からなる中間膜で覆うことにより形成されていることを特徴とする請求項１ないし請求項４のいずれか１項に記載のミシン用摺動装置。
【請求項１１】
前記中間膜の膜厚が１〜１５μｍであることを特徴とする請求項９または請求項１０に記載のミシン用摺動装置。
【請求項１２】
可動とされた摺動部品の摺動面を支持部品の被摺動面で支持するミシン用摺動装置を有するミシンにおいて、
前記ミシン用摺動装置が請求項１ないし請求項１１のいずれか１項に記載のミシン用摺動装置であることを特徴とするミシン。
【請求項１３】
前記摺動面と前記被摺動面との間にグリースを介在させたことを特徴とする請求項１２に記載のミシン。
【手続補正２】
【補正対象書類名】明細書
【補正対象項目名】００１８
【補正方法】変更
【補正の内容】
【００１８】
請求項４に係る本発明のミシン用摺動装置の特徴は、被覆層の膜厚が０．５〜１０．０μｍである点にある。そして、このような構成を採用したことにより、長期間に亘り無給油で安定した機能を保持するために必要な最も好ましい厚さを得ることができる。
【手続補正３】
【補正対象書類名】明細書
【補正対象項目名】００２２
【補正方法】変更
【補正の内容】
【００２２】
請求項８に係る本発明のミシン用摺動装置の特徴は、中間膜の膜厚が１〜１０μｍである点にある。そして、このような構成を採用したことにより、本体の表面の傷つきおよび本体から被覆層が剥離するのをより確実に防止することができる。
【手続補正４】
【補正対象書類名】明細書
【補正対象項目名】００２５
【補正方法】変更
【補正の内容】
【００２５】
請求項１１に係る本発明のミシン用摺動装置の特徴は、中間膜の膜厚が１〜１５μｍである点にある。そして、このような構成を採用したことにより、本体の表面の傷つきおよび本体から被覆層が剥離するのをより確実に防止することができる。
【手続補正５】
【補正対象書類名】明細書
【補正対象項目名】００３７
【補正方法】変更
【補正の内容】
【００３７】
本実施形態の針棒１１は、鋼材により略円筒形状の所定形状に形成された本体としての針棒本体２１を有している。この針棒本体２１の外周面は、被覆層２２（図２に誇張して示す）により被覆されており、この被覆層２２の外周面の大部分が、針棒メタル１５の内周面に形成された被摺動面１５ａにより支持される摺動面１１ａとされている。
【手続補正６】
【補正対象書類名】明細書
【補正対象項目名】００３９
【補正方法】変更
【補正の内容】
【００３９】
また、被覆層２２の膜厚としては、０．５〜１０．０μｍ程度、好ましくは０．５〜５．０μｍ程度、最も好ましくは０．５〜４．０μｍ程度である。この範囲より薄くなるとほとんど効果が得られず、厚くなると密着性が低下する傾向がある。このように、被覆層２２の膜厚を０．５〜１０．０μｍ程度とすることにより、長期間に亘り無給油で安定した機能を保持するために必要な最も好ましい厚さを得ることができる。
【手続補正７】
【補正対象書類名】明細書
【補正対象項目名】００４０
【補正方法】変更
【補正の内容】
【００４０】
さらに、被覆層２２の膜構造としては、図４に誇張して示すように、表面が層状の膜構造とし、かつ、カーバイトリッチ層２２ａとカーボンリッチ層２２ｂとを膜厚方向に対して直交する方向に交互に配置することがカーバイトリッチ層２２ａによる荷重および衝撃荷重を吸収する機能を発揮させて大きな耐荷重性を容易に得ることができるという点で好ましい。
【手続補正８】
【補正対象書類名】明細書
【補正対象項目名】００４２
【補正方法】変更
【補正の内容】
【００４２】
なお、中間膜の膜厚としては、クロムを中間膜として用いた場合には１〜１０μｍ程度、好ましくは２〜６μｍ程度、最も好ましくは２〜４μｍ程度である。この範囲より薄くなると針棒本体２１の表面に傷が付くのを防止する効果が少ない傾向があり、厚くなると剥がれやすくなる傾向がある。このように、クロムからなる中間膜の膜厚を１〜１０μｍ程度とすることにより、針棒本体２１の表面の傷つきを確実に防止することができるとともに、耐食性を向上させることができ、しかも針棒本体２１から被覆層２２が剥離するのを防止するために必要な最も好ましい厚さを得ることができる。
【手続補正９】
【補正対象書類名】明細書
【補正対象項目名】００４３
【補正方法】変更
【補正の内容】
【００４３】
また、中間膜の膜厚としては、ニッケル合金を中間膜として用いた場合には１〜１５μｍ程度、好ましくは５〜１２μｍ程度、最も好ましくは７〜１０μｍ程度である。この範囲より薄くなると針棒本体２１の表面に傷が付くのを防止する効果が少ない傾向があり、厚くなると剥がれやすくなる傾向がある。このように、ニッケル合金からなる中間膜の膜厚を１〜１５μｍ程度とすることにより、針棒本体２１の表面の傷つきを確実に防止することができるとともに、耐食性を向上させることができ、しかも針棒本体２１から被覆層２２が剥離するのを防止するために必要な最も好ましい厚さを得ることができる。
【手続補正１０】
【補正対象書類名】明細書
【補正対象項目名】００４６
【補正方法】変更
【補正の内容】
【００４６】
なお、中間膜の膜厚としては、クロムを中間膜として用いた場合には１〜１０μｍ程度、好ましくは２〜６μｍ程度、最も好ましくは２〜４μｍ程度である。この範囲より薄くなると母材たるアルミニウムあるいはアルミニウム合金からなる針棒本体２１の表面を強化して針棒本体２１の表面に傷が付くのを防止する効果が少ない傾向があり、厚くなると剥がれやすくなる傾向がある。このように、クロムからなる中間膜の膜厚を１〜１０μｍ程度とすることにより、針棒本体２１の表面の傷つきおよび変形を確実に防止することができるとともに、針棒本体２１から被覆層２２が剥離するのを防止するために必要な最も好ましい厚さを得ることができる。
【手続補正１１】
【補正対象書類名】明細書
【補正対象項目名】００４７
【補正方法】変更
【補正の内容】
【００４７】
また、中間膜の膜厚としては、ニッケル合金を中間膜として用いた場合には１〜１５μｍ程度、好ましくは５〜１２μｍ程度、最も好ましくは７〜１０μｍ程度である。この範囲より薄くなると母材たるアルミニウムあるいはアルミニウム合金からなる針棒本体２１の表面を強化して針棒本体２１の表面に傷が付くのを防止する効果が少ない傾向があり、厚くなると剥がれやすくなる傾向がある。このように、ニッケル合金からなる中間膜の膜厚を１〜１５μｍ程度とすることにより、針棒本体２１の表面の傷つきおよび変形を確実に防止することができるとともに、針棒本体２１から被覆層２２が剥離するのを防止するために必要な最も好ましい厚さを得ることができる。
【手続補正１２】
【補正対象書類名】明細書
【補正対象項目名】００７９
【補正方法】変更
【補正の内容】
【００７９】
また、請求項８に係る本発明のミシン用摺動装置によれば、膜厚が１〜１０μｍのクロムからなる中間膜は、本体の表面の傷つきおよび本体から被覆層が剥離するのをより確実に防止することができるなどの極めて優れた効果を奏する。
【手続補正１３】
【補正対象書類名】明細書
【補正対象項目名】００８２
【補正方法】変更
【補正の内容】
【００８２】
また、請求項１１に係る本発明のミシンによれば、膜厚が１〜１５μｍのニッケル合金からなる中間膜は、本体の表面の傷つきおよび本体から被覆層が剥離するのをより確実に防止することができるなどの極めて優れた効果を奏する。
【手続補正１４】
【補正対象書類名】明細書
【補正対象項目名】図２
【補正方法】変更
【補正の内容】
【図２】
2001113075.tif 000001
【手続補正１５】
【補正対象書類名】明細書
【補正対象項目名】図３
【補正方法】変更
【補正の内容】
【図３】
2001113075.tif 000002